(57)【要約】【課題】  人がまだ要照明範囲内にいるときに、消灯するようなことをなくして人に不快感を与えることなく最小限の時間の点灯を行える照明装置を提供する。【解決手段】  点灯制御信号を送信する携帯型送信機（発信機）３と、照明器具２とからなり、照明器具２は点灯制御信号を受信する受信機５と、該点灯制御信号に応じて照明負荷（光源）４を点灯制御する制御部７とを備える。そして、照明器具２は、前記点灯制御信号を受信している間のみ照明負荷（光源）４を点灯させることを特徴とする。【選択図】        図１
2007087839.tif 000002
【特許請求の範囲】
【請求項１】
点灯制御信号を送信する携帯型送信機と、該点灯制御信号を受信する受信機と、前記点灯制御信号に応じて照明負荷を点灯制御する制御部とを備えた照明装置であって、
前記点灯制御信号を受信している間のみ照明負荷を点灯させることを特徴とする照明装置。
【請求項２】
前記携帯型送信機に対しトリガ信号を送信する送信機を備え、前記携帯型送信機がトリガ信号を受信してから点灯制御信号を送信することを特徴とする請求項１項記載の照明装置。
【請求項３】
前記制御部に人感センサを設け、該人感センサの検知があった場合のみ前記携帯型送信機の点灯制御信号を受信することを特徴とする請求項１または２項記載の照明装置。
【発明の詳細な説明】
【技術分野】
【０００１】
本発明は省エネルギーを図った照明装置に関し、特に、屋内の通路等、比較的長い空間が存在する場所に設置された照明装置に関する。
【背景技術】
【０００２】
従来、廊下等では人が通行する際の安全を確保するために照明装置を設けている。この照明装置を点滅するために廊下にスイッチを設け、照明をスイッチで点灯させ、通行が終わるとスイッチで消灯させていた。しかし、この場合、通行する毎に照明を点灯させなければならず、また通行が終わった際に、照明を切り忘れて人がいないにもかかわらず、照明が点灯し続けるという不経済なことになることがある、そこで、近年は人が通過する際にその通過を検知する人感センサを取付け、通過する時のみ照明を点灯させ、通過し終わると所定の時間をもって、照明を消灯させるようなシステムが多く提案されている。
【０００３】
例えば、特許文献１のように、通過する入口部分に人を検知するセンサを取付け、人が通過すると照明を点灯させるシステムがある。しかしこの方式の場合はセンサを通路の端に設置することになり、そのセンサが検知すると接続された全ての照明器具が点灯してしまうという問題がある。また人が通路の途中で立ち止まった場合などは、人がいるにもかかわらずセンサの検知範囲外になるために照明が消灯してしまう不具合があった。またセンサから照明器具の点灯、消灯を行なうための配線を行なう必要もあり、施工上も不便であった。
【０００４】
そこで、照明器具ごとにセンサを取付け、それぞれの器具のセンサの検知範囲に人が来ると、照明を点灯させる照明器具も考案されている（例えば、特許文献２参照）。この特許文献２に開示される照明器具では、特別な配線の施工の必要もなく、器具ごとに照明が点灯するので、人がいる周囲の器具のみが点灯し、また通路の途中で立ち止まったりしても照明が消灯することはなくなる。
【０００５】
しかしながら、これらの従来の照明システムにおいては、センサの検知後、人が通過し終えるのを考慮した時間の間、照明器具を点灯させる必要があり、短時間すぎると無照明の事態になるので、通常検知後数分間は点灯させていることが多い。そのため現実的には人が通過し終わっても照明が点灯していることがほとんどで、省エネの効果としては十分とは言えない。また一般に用いられている人感センサは周囲の温度変化を検出して、人の存在を検知するものであり、人以外の小動物等の動きでも人がいると判断してしまい、照明器具を点灯させてしまう不具合があった。
【特許文献１】特開２００２−２６０４０９号公報
【特許文献２】特開２０００−２８５７２６号公報
【発明の開示】
【発明が解決しようとする課題】
【０００６】
本発明は上記課題を解決するためになされたものであり、その目的とするところは、人がまだ要照明範囲内にいるときに、人に不快感を与えることなく最小限の時間の点灯を行える照明装置を提供することである。
【課題を解決するための手段】
【０００７】
請求項１に係る点灯制御信号を送信する携帯型送信機と、該点灯制御信号を受信する受信機と、該点灯制御信号に応じて照明負荷を点灯制御する制御部とを備えた照明装置であって、前記点灯制御信号を受信している間のみ照明負荷を点灯させることを特徴とする。
【０００８】
請求項２記載の照明装置は、請求項１記載の発明において、前記携帯型送信機に対しトリガ信号を送信する送信機を備え、前記携帯型送信機がトリガ信号を受信してから点灯制御信号を送信することを特徴とする。
【０００９】
請求項３記載の照明装置は、請求項１または２記載の発明において、前記制御部に人感センサを設け、該人感センサの検知があった場合のみ前記携帯型送信機の点灯制御信号を受信することを特徴とする。
【発明の効果】
【００１０】
本発明の請求項１に係る照明装置によれば、従来のように人がいなくなっても点灯し続けるようなことをなくすことができ、省エネルギーの照明器具を得ることができる。また、施工の際に特別な工事をしなくてもよくなった。また、この照明装置は、利用者に不快感を与えることなく、最小限の点灯時間で照明器具を消灯させることができる。
【００１１】
本発明の請求項２に係る照明装置によれば、請求項１の発明の効果に加えて、利用者の発信機からの点灯制御信号をトリガにして照明器具を制御することとしたので、一層、省エネ効果の高い照明装置を得ることができる。
【００１２】
本発明の請求項３に係る照明装置によれば、請求項１の発明の効果に加えて、利用者がいるときに点灯制御するので、一層、省エネ効果の高い照明装置を得ることができる。
【発明を実施するための最良の形態】
【００１３】
次に、本発明の最良の形態を実施例に基づいて詳細に説明する。
（実施例１）
図１は、本発明に係る照明装置の実施例１の全体構成を示す一部省略したブロック図、図２はその動作のタイムチャートである。
【００１４】
比較的長い空間が存在する廊下１に設置された本実施例の照明装置は、複数個の器具１、器具２、器具３等の照明器具２を備え、人が持つ携帯型送信機（発信機）３の電波を受信して信号を処理して照明負荷である光源４を点灯制御するように構成している。そのエリアで執務、生活を行なう利用者Ｍは点灯制御信号の電波を送信する小型の発信機３を所持するものとする。
【００１５】
照明器具２には、光源（ランプ）４のほか、無線を受信する受信機５と制御回路６とから成る制御部７と、点灯装置８とが備えられている。制御部７では、発信機３からの点灯（制御）信号を受信機５で受信し、その点灯信号に応答して制御回路６で信号処理し、制御部７から点灯装置８にランプ４に点灯出力を出すよう通電制御し、ランプ４を点灯するようになっている。ランプ４が一度点灯した後には、制御部７が受信機５で点灯信号を受信しなくなったことを制御回路６で判定し、点灯装置８にランプ４に消灯するように遮断制御し、ランプ４を消灯するようになっている。
【００１６】
次に、上記のように構成した照明装置の動作を通路の場合を例にして、図２により説明する。
【００１７】
利用者Ｍが通路１を通過する場合、所持している発信機３から電波が常時送信されている。通過する通路の照明器具２でいちばん利用者に近い器具１に利用者Ｍが近づくと、最初に電波を受信する。電波を受信した器具１は電波を受信している間（図２（ａ））、光源を点灯させる（図２（ｂ））。利用者の移動に従って、順次奥側の器具２が電波を受信し（図２（ｃ））、器具２を点灯させる（図２（ｄ））。このように利用者Ｍが器具３，器具４、と順次接近するにつれて点灯、消灯が順次行われる。このようにすることによって、人が通過する先の部分の照明器具２は通過前に点灯させることができるので、利用者Ｍが通過する前に前方は明るくなっており、利用者Ｍに不安感を与えることがない。
【００１８】
利用者Ｍが遠ざかっていくと、最初に点灯した照明器具２（器具１）から順次利用者Ｍから発信される電波を受信できなくなる。照明器具２で電波が受信できなくなると、制御部７によりランプ４を消灯させる。このようにすることによって、利用者Ｍが通過後、通りすぎた後方に位置する照明器具２をすぐに消灯させることができ、不必要な点灯を防止し、省エネ効果を高めることができる。
【００１９】
また、利用者Ｍが通路１の途中で立ち止まった場合もその周囲の照明器具２は電波を受信している限り、点灯を継続し、人がいるにもかかわらず、照明器具２が消灯してしまうこともなくなる。また、照明器具２はそれぞれが独立しているので、従来設置されている照明器具２と専用配線等特別な工事を行なうことなく設置することができ、施工性にも優れている。
【００２０】
人が所持する発信機３は通過する際に必要な範囲の照明器具２のみを点灯させればよいので、到達距離はその用途によって変化させればよいが、屋内の通路灯であれば１０ｍ程度の距離が到達すれば必要な範囲の照明器具２を点灯させることができる。微弱無線を用いると無線装置の構成も簡単で、法規的な認可も日本においては不要であり、コスト的にも比較的安価になり、システムとしてのコストも押さえることができる。また、例えば特定小電力無線で分類される通信方式もその到達距離に支障がなければ利用しても差し支えない。
【００２１】
以上のような構成にすることによって、特別な施工を行なうことなく設置できる照明器具２で、人が通過する際に人に不安感や不快感を与えることなく最小限の点灯時間のみ照明器具２を点灯させることができ、施工性、省エネに優れた照明器具２を提供できる。なお、本実施例において発信機５としては、専用の発信機５は勿論のこと、ＩＤカード、ＩＣカード、携帯電話等の携帯機能を有するものに発信機能を設ける構成としても良い。
（実施例２）
図３は、本発明に係る照明装置の実施例２の一部省略した構成を示すブロック図、図４はその動作のタイムチャートである。
【００２２】
本実施例は上記実施例１とは、通路１の入口にトリガ信号を送信する送信機９を設置している点で、相違するのみであるので、共通する部分については同一の符号を付して詳細な説明を省略する。
【００２３】
図３に示すように、本実施例の照明装置は照明器具２の設置された両端（入口）にトリガ信号を送信する送信機９を設置している。
【００２４】
本実施例の照明器具２は上記実施例１の照明器具２と同様に構成されている。発信機３はトリガ信号を受信する受信部を設けている（図示省略）。そして、発信機３はトリガ信号を受信した後、所定の時間のみ発信機３から点灯信号を送信するようにしている。
【００２５】
図４に示すように、利用者Ｍの発信機３がトリガ信号を受信受信した後、所定の時間のみ発信機３から点灯信号を送信する（図４（イ））。その後は、利用者Ｍの移動に伴って、上記実施例１で説明したように、照明器具２の点灯、消灯が順次行われる。
【００２６】
このように、本実施例のように構成することによって、発信機３は常時点灯信号を送信しなくて良くなり、点灯信号の電波を送信している時間を最小限にすることができ、発信機３の電源寿命を延すことができる。なお、通路１の反対側に人が達した場合、送信機９が再度トリガ信号を受信した際には、点灯信号の送信を止めるようにすれば、さらに効率的に発信機３を作動させることができ、電源寿命を長くすることができる。
（実施例３）
図５は、本発明に係る照明装置の実施例３の一部を省略した構成を示すブロック図、図６はその動作のタイムチャートである。
【００２７】
本実施例は上記実施例１とは、照明器具２に人感センサ１０を取付け、人感センサ１０の検知信号と、発信機３の信号を併用して制御を行なう点で相違する。上記実施例と共通する部分については同一の符号を付して詳細な説明を省略する。
【００２８】
図５に示すように、照明器具２には、光源（ランプ）４のほか、無線を受信する受信機５と制御回路６とから成る制御部７と、点灯装置８と、人感センサ１０とが備えられている。制御部７では、人感センサ１０の検知信号を制御回路６で受けると、それに応答して制御回路６で人が通過するのに対して十分長い時間受信部の制御を可能にする。そして、発信機３からの点灯信号を制御部７の受信機５で受信し、制御回路６で信号処理して、点灯装置８にランプ４に点灯出力を出すよう通電制御し、ランプ４を点灯するようになっている。ランプ４が一度点灯した後には、制御部７が受信機５で点灯制御信号を受信しなくなったことを制御回路６で判定し、点灯装置８にランプ４に消灯するように遮断制御し、ランプ４を消灯する。
【００２９】
照明器具２が発信機３からの点灯信号を受信機５で受信しても、人感センサ１０が人間を検知しない場合は、点灯装置８は点灯出力を出さず、ランプ４は点灯しない。
【００３０】
次に、上記のように構成した本実施例の照明装置の動作を通路の場合を例にして、図６により説明する。
【００３１】
利用者Ｍが通路１を通過する場合、所持している発信機３から電波が常時送信されている。通過する通路１の照明器具２の中でいちばん近い器具１に利用者Ｍが近づくと、最初に人感センサ１０で人間を検知（図６（ａ））し、受信機５で電波を受信する（図６（ｂ））。電波を受信した器具１は電波を受信している間（図６（ｂ））、光源４を点灯させる（図６（ｃ））。利用者Ｍの移動に従って、順次奥側の器具２が電波を受信する（図６（ｅ））が、この位置では器具２の人感センサ１０は利用者Ｍを検知しない（図６（ｄ））ので、器具２を点灯させない（図６（ｆ））。このように利用者Ｍが器具３，器具４、と順次接近するにつれて発信機３の点灯制御信号と人感センサ１０の人間検知ありの信号を受けてから、点灯、消灯が順次行われる。このようにすることによって、人が通過する先の部分の照明器具２は通過前に点灯させることができるので、利用者Ｍが通過する前に前方は明るくなっており、利用者に不安感を与えることがない。
【００３２】
人が移動していくとき、最初に点灯した照明器具２から順次遠ざかっていくと、利用者Ｍから発信される電波を受信できなくなる。電波が受信できなくなると、制御部７で照明器具２を消灯させる。
【００３３】
このようにすることによって、人が実際にいる時のみ照明器具２を点灯させることができ、無線のノイズや混信で、誤って照明器具２を点灯させることを防ぐとこができる。なお、制御部７では人感センサ１０の検知信号を受けて、人が通過するのに対して十分長い時間受信部の制御を可能にするように構成しても良い。また、実施例２のように発信機３の点灯信号は照明装置の近くでのみ発信するようにしてもよい。
【図面の簡単な説明】
【００３４】
【図１】本発明に係る照明装置の実施例１の一部省略した構成を示すブロック図である。
【図２】その動作を説明するタイムチャート図である。
【図３】本発明に係る照明装置の実施例２の一部省略した構成を示すブロック図である。
【図４】その動作を説明するタイムチャート図である。
【図５】本発明に係る照明装置の実施例３の一部省略した構成を示すブロック図である。
【図６】その動作を説明するタイムチャート図である。
【符号の説明】
【００３５】
２  照明器具
３  携帯型送信機（発信機）
４  照明負荷（光源、ランプ）
５  受信機
６  制御回路
７  制御部
８  点灯装置
【図１】
2007087839.tif 000003
【図２】
2007087839.tif 000004
【図３】
2007087839.tif 000005
【図４】
2007087839.tif 000006
【図５】
2007087839.tif 000007
【図６】
2007087839.tif 000008